(57)【要約】【課題】本発明は、従来の搬送装置よりコンパクトで且つ簡易な構造にしてコスト安に物を搬送できる極めて実用性に秀れた搬送装置を提供するものである。【解決手段】不動部１と、該不動部１に設けられる可動部２とから成り、可動部２は、前記不動部１と平行に左右両方向に所定量摺動突出する構成であり、また、この可動部２は、第１部材，第２部材，・・・及び第ｎ部材が積層され、第ｎ部材は第ｎ−１部材に対し所定量摺動突出する構成であり、更にこの可動部２の第ｎ部材には搬送物を搬送する搬送部１５が設けられ、第１部材を摺動突出せしめることで搬送部１５により搬送物を搬送せしめるものである。【選択図】  図３
2008254864.tif 000002
【特許請求の範囲】
【請求項１】
不動部と、該不動部に設けられる可動部とから成り、可動部は、前記不動部と平行に左右両方向に定量摺動突出する構成であり、また、この可動部は、第１部材，第２部材，・・・及び第ｎ部材が積層され、第ｎ部材は第ｎ−１部材に対し所定量摺動突出する構成であり、更にこの可動部の第ｎ部材には搬送物を搬送する搬送部が設けられ、第１部材を摺動突出せしめることで搬送部により搬送物を搬送せしめることを特徴とする搬送装置。
【請求項２】
請求項１記載の搬送装置において、不動部と可動部の第１部材とは、不動部の駆動装置に設けられたピニオンと可動部の第１部材の下面に設けられたラックにより連結され、また、可動部の第１部材と可動部の第２部材とは、可動部の第１部材に設けられたピニオンと可動部の第２部材の下面に設けられたラックにより連結され、・・・可動部の第ｎ−１部材と可動部の第ｎ部材とは、可動部の第ｎ−１部材に設けられたピニオンと可動部の第ｎ部材の下面に設けられたラックにより連結され、更に可動部の第１部材に設けられたピニオンは不動部に設けられたラックと連結され、また可動部の第２部材に設けられたピニオンは可動部の第１部材の上面に設けられたラックと連結され、・・・可動部の第ｎ−１部材に設けられたピニオンは可動部の第ｎ−３部材の上面に設けられたラックと連結され、不動部の駆動装置を左右に回転させることで、前記ラックとピニオンを介して順次回転運動を直線運動に変えながら、可動部は左右両方向に定量摺動突出するよう構成されていることを特徴とする搬送装置。
【請求項３】
請求項２記載の搬送装置において、ピニオンを不動部と可動部の各部材の両端に配置し、両端のピニオンが同期して回転できるよう、タイミングベルト、チェーン等の伝動手段で連結したこと特徴とする搬送装置。
【請求項４】
請求項３記載の搬送装置において、不動部と可動部の第１部材，可動部の第１部材と可動部の第２部材，・・・及び可動部の第ｎ−１部材と可動部の第ｎ部材の間にそれぞれ中間移動部材を設けたことを特徴とする搬送装置。
【請求項５】
請求項４記載の搬送装置において、前記中間移動部材の中央部にプーリを設け、上下の部材の両端に固定したワイヤ等の線状体を介してプーリを左右に引っ張り、中間移動部材が常に上下の部材の左右移動方向の中央に保たれるようにしたことを特徴とする搬送装置。
【請求項６】
請求項１記載の搬送装置において、ピニオンを不動部の両端に配置し、両端のピニオンが同期して回転できるよう、タイミングベルト、チェーン等の伝動手段で連結し、不動部と可動部の第１部材とは、不動部に設けられた前記ピニオンと可動部の第１部材の下面に設けられたラックにより連結され、また、可動部の第１部材と可動部の第２部材と、・・・可動部の第ｎ−１部材の両端にプーリを設け、不動部の左端に固定したワイヤ等の線状体を、可動部の第１部材右端のプーリを介して、可動部の第２部材の左端にゆるみのないよう固定し、可動部の第１部材左端に固定したワイヤ等の線状体を、可動部の第２部材右端のプーリを介して、可動部の第３部材の左端にゆるみのないよう固定し、可動部の第ｎ−２部材左端に固定したワイヤ等の線状体を、可動部の第ｎ−１部材右端のプーリを介して、可動部の第ｎ部材の左端にゆるみのないよう固定し、同様に不動部の右端に固定したワイヤ等の線状体を、可動部の第１部材左端のプーリを介して、可動部の第２部材の右端にゆるみのないよう固定し、可動部の第１部材右端に固定したワイヤ等の線状体を、可動部の第２部材左端のプーリを介して、可動部の第３部材の右端にゆるみのないよう固定し、可動部の第ｎ−２部材右端に固定したワイヤ等の線状体を、可動部の第ｎ−１部材左端のプーリを介して、可動部の第ｎ部材の右端にゆるみのないよう固定し、不動部の駆動装置を左右に回転させることで、前記ピニオンとラック及びプーリとワイヤ等の線状体を介して順次力を伝達して、可動部は左右両方向に定量摺動突出するよう構成されていることを特徴とする搬送装置。
【請求項７】
請求項１記載の搬送装置において、不動部と可動部の第１部材とは、不動部の駆動装置に設けられたピニオンと、可動部の第１部材の下面に設けられたラックにより連結され、また、可動部の第１部材と、可動部の第２部材と、・・・可動部の第ｎ−１部材の両端部にプーリを設け、不動部の右端に固定したワイヤ等の線状体を可動部の第１部材左端のプーリ、可動部の第２部材右端のプーリ、可動部の第２部材左端のプーリ、・・・可動部の第ｎ−１部材右端のプーリ、可動部の第ｎ−１部材左端のプーリの順にかけて、最後に可動部の第ｎ部材の右端にゆるみのないよう固定し、不動部の左端に固定したワイヤ等の線状体を可動部の第１部材右端のプーリ、可動部の第２部材左端のプーリ、可動部の第２部材右端のプーリ、・・・可動部の第ｎ−１部材左端のプーリ、可動部の第ｎ−１部材右端のプーリの順にかけて、最後に可動部の第ｎ部材の左端にゆるみのないよう固定し、不動部の駆動装置を左右に回転させることで、前記ピニオンとラック及びプーリとワイヤ等の線状体を介して順次力を伝達して、可動部は左右両方向に定量摺動突出するよう構成されていることを特徴とする搬送装置。
【発明の詳細な説明】
【技術分野】
【０００１】
本発明は、搬送装置に関するものである。
【背景技術】
【０００２】
一般的に、工場において加工機器により加工された部品は、速やかに次の工程に移行するために搬送装置によって自動的に搬送されるが、この搬送装置としては、コロを並設したコンベアや電動シリンダー，多関節ロボット等が用いられている。
【０００３】
これらの搬送装置において最も広く用いられているのは、大量の部品でも容易に長距離搬送を行えるコンベアであるが、広い範囲に設置する必要があるためにコスト高となり、また、搬送の際に振動を生ずることがあるため、搬送する部品が精密部品である場合には、この振動が精密部品の精度を狂わせたり、また、精密部品が液晶やガラス基板の場合にはコロとの当接により、表面に傷がついてしまうという決定的な問題がある。
【０００４】
また、電動シリンダーは、外筒内にこの外筒と略同じ長さのピストンが突没自在に設けられたものであり、このピストンに部品を連設し、該ピストンを外筒に対して突出させることで部品を水平方向に搬送するものであるため、簡易な構造で振動を与えることなく部品を搬送できるが、この外筒とピストンの長さが略同じであることから、搬送距離を長く設定するには必然的にシリンダー長も長くしなければならず、よって、長い搬送距離が必要な場合には、長い設置スペースが必要となる。
【０００５】
更に、多関節ロボットは、精密な搬送作業を行うことができ、搬送距離も長く設定できるが、構造が複雑でその分高価であり、しかも、この多関節ロボットが立体的に駆動するための広いスペースを確保する必要があり、使用用途は限定されてしまう。
【発明の開示】
【発明が解決しようとする課題】
【０００６】
本発明は、上述の問題点を解決したもので、従来の搬送装置よりコンパクトで且つ簡易な構造にしてコスト安に物を搬送できる極めて実用性に秀れた搬送装置を提供することを目的とする。
【課題を解決するための手段】
【０００７】
この発明は、不動部と、該不動部に設けられる可動部とから成り、可動部は、前記不動部と平行に左右両方向に定量摺動突出する構成であり、また、この可動部は、第１部材，第２部材，・・・及び第ｎ部材が積層され、第ｎ部材は第ｎ−１部材に対し所定量摺動突出する構成であり、更にこの可動部の第ｎ部材には搬送物を搬送する搬送部が設けられ、第１部材を摺動突出せしめることで搬送部により搬送物を搬送せしめることを特徴とする搬送装置に係るものである。
【０００８】
ここで、不動部と可動部の第1部材とは、不動部の駆動装置に設けられたピニオンと可動部の第１部材の下面に設けられたラックにより連結され、また、可動部の第１部材と可動部の第２部材とは、可動部の第１部材に設けられたピニオンと可動部の第２部材の下面に設けられたラックにより連結され、・・・可動部の第ｎ−１部材と可動部の第ｎ部材とは、可動部の第ｎ−１部材に設けられたピニオンと可動部の第ｎ部材の下面に設けられたラックにより連結され、更に可動部の第１部材に設けられたピニオンは不動部に設けられたラックと連結され、また可動部の第２部材に設けられたピニオンは可動部の第１部材の上面に設けられたラックと連結され、・・・可動部の第ｎ−１部材に設けられたピニオンは可動部の第ｎ−３部材の上面に設けられたラックと連結され、不動部の駆動装置を左右に回転させることで、前記ラックとピニオンを介して順次回転運動を直線運動に変えながら、可動部は左右両方向に定量摺動突出するよう構成されていることを特徴とする搬送装置に係るものである。
【０００９】
また、ピニオンを不動部と可動部の各部材の両端に配置し、両端のピニオンが同期して回転できるよう、タイミングベルト、チェーン等の伝動手段で連結したこと特徴とする搬送装置に係るものである。
【００１０】
また、不動部と可動部の第１部材，可動部の第１部材と可動部の第２部材，・・・及び可動部の第ｎ−１部材と可動部の第ｎ部材の間にそれぞれ中間移動部材を設けたことを特徴とする搬送装置に係るものである。
【００１１】
また、前記中間移動部材の左右移動方向の中央部にプーリを設け、上下の部材の両端に固定したワイヤ等の線状体を介してプーリを左右に引っ張り、中間移動部材が常に上下の部材の左右移動方向の中央に保たれるようにしたことを特徴とする搬送装置に係るものである。
【００１２】
また、ピニオンを不動部の両端に配置し、両端のピニオンが同期して回転できるよう、タイミングベルト、チェーン等の伝動手段で連結し、不動部と可動部の第1部材とは、不動部に設けられた前記ピニオンと可動部の第１部材の下面に設けられたラックにより連結され、また、可動部の第１部材と可動部の第２部材と、・・・可動部の第ｎ−１部材の両端にプーリを設け、不動部の左端に固定したワイヤ等の線状体を、可動部の第１部材右端のプーリを介して、可動部の第２部材の左端にゆるみのないよう固定し、可動部の第１部材左端に固定したワイヤ等の線状体を、可動部の第２部材右端のプーリを介して、可動部の第３部材の左端にゆるみのないよう固定し、可動部の第ｎ−２部材左端に固定したワイヤ等の線状体を、可動部の第ｎ−１部材右端のプーリを介して、可動部の第ｎ部材の左端にゆるみのないよう固定し、同様に不動部の右端に固定したワイヤ等の線状体を、可動部の第１部材左端のプーリを介して、可動部の第２部材の右端にゆるみのないよう固定し、可動部の第１部材右端に固定したワイヤ等の線状体を、可動部の第２部材左端のプーリを介して、可動部の第３部材の右端にゆるみのないよう固定し、可動部の第ｎ−２部材右端に固定したワイヤ等の線状体を、可動部の第ｎ−１部材左端のプーリを介して、可動部の第ｎ部材の右端にゆるみのないよう固定し、不動部の駆動装置を左右に回転させることで、前記ピニオンとラック及びプーリとワイヤ等の線状体を介して順次力を伝達して、可動部は左右両方向に定量摺動突出するよう構成されていることを特徴とする搬送装置に係るものである。
【００１３】
また、不動部と可動部の第１部材とは、不動部の駆動装置に設けられたピニオンと、可動部の第１部材の下面に設けられたラックにより連結され、また、可動部の第１部材と、可動部の第２部材と、・・・可動部の第ｎ−１部材の両端部にプーリを設け、不動部の右端に固定したワイヤ等の線状体を可動部の第１部材左端のプーリ、可動部の第２部材右端のプーリ、可動部の第２部材左端のプーリ、・・・可動部の第ｎ−１部材右端のプーリ、可動部の第ｎ−１部材左端のプーリの順にかけて、最後に可動部の第ｎ部材の右端にゆるみのないよう固定し、不動部の左端に固定したワイヤ等の線状体を可動部の第１部材右端のプーリ、可動部の第２部材左端のプーリ、可動部の第２部材右端のプーリ、・・・可動部の第ｎ−１部材左端のプーリ、可動部の第ｎ−１部材右端のプーリの順にかけて、最後に可動部の第ｎ部材の左端にゆるみのないよう固定し、不動部の駆動装置を左右に回転させることで、前記ピニオンとラック及びプーリとワイヤ等の線状体を介して順次力を伝達して、可動部は左右両方向に定量摺動突出するよう構成されていることを特徴とする搬送装置に係るものである。
【発明の効果】
【００１４】
不動部１と平行に所定量摺動突出する可動部２は、積層された第ｎ部材が第ｎ−１部材に対して所定量摺動突出する構成であるから、積層階数を増やすことで不動部１に対する可動部２の突出長を長くすることができ、電動シリンダー等の従来の搬送装置より設置スペースに対する搬送距離が長くなり、簡易で且つコンパクトな構造となる。
【００１５】
また左右両方向に所定量摺動突出する構成であるから、片方向突出に比べて搬送距離が更に長くなり、かつ部品の向きを変えずに搬送することが可能となる。
【００１６】
しかも、摺動突出する可動部２の第ｎ部材に設けられた搬送部１５により搬送を行うため、振動を生ずることなく物を搬送することができ、例えば液晶やガラス基板等の精密部品であっても破損させることなく搬送できることになる。
【００１７】
従って、本発明は、例えば精密部品を長距離搬送する場合でも、従来の搬送装置より、コンパクトで簡易な構造にしてコスト安に該精密部品を破損させることなく搬送できる極めて実用性に秀れた搬送装置を提供し得ることとなる。
【発明を実施するための最良の形態】
【００１８】
図面は本発明の一実施例を図示したものであり、以下に説明する。
【００１９】
本実施例は、不動部１と、該不動部１に設けられる可動部２とから成り、可動部２は、前記不動部１と平行に所定量摺動突出する構成であり、また、この可動部２は、第１部材，第２部材，・・・及び第ｎ部材が積層され、第ｎ部材は第ｎ−１部材に対し所定量摺動突出する構成であり、更にこの可動部２の第ｎ部材には搬送物を搬送する搬送部１５が設けられ、第１部材を摺動突出せしめることで搬送部１５により搬送物を搬送せしめるものである。
【００２０】
各部を具体的に説明すると、不動部１は平面視略四角形状の板状体であって、上面に可動部２の第１部材が被嵌されるレール３が設けられると共に、該第１部材の側部には、該第１部材の位置を確知するための図示しない突出方向センサと没入方向センサとが前記レール３の延設方向に並設されている。
【００２１】
また、不動部１にはモータ６が設けられ、該モータ６の回転によりモータ軸に取り付けたピニオン７が回動するように構成されている。
【００２２】
更に、モータ６と前記突出方向センサ及び没入方向センサとを連動させることで、第１部材の位置が前記不動部１の所定位置に達した際、これを突出方向センサ及び没入方向センサにより確知し、自動的に前記モータ６の駆動を停止し、前記第１部材の摺動突出及び摺動没入を停止制御できるように構成されている。
【００２３】
可動部２は、平面視略四角形状の板状体であって、第１部材は上面にレール４が設けられ、下面には前記不動部１の上面に設けられた前記レール３に被嵌される凹条５が設けられている。この凹条５とレール３とで摺動部が構成される。第２部材，第３部材，・・・第ｎ部材は、前記と同様に凹条５とレール４とで摺動部が構成される。
【００２４】
また、不動部１と可動部２の第１部材とは、不動部１のモータ６に設けられたピニオン７と可動部２の第１部材の下面に設けられたラック８により連結され、また、可動部２の第１部材と可動部２の第２部材とは、可動部２の第１部材に設けられたピニオン７と可動部２の第２部材の下面に設けられたラック８により連結され、・・・可動部２の第ｎ−１部材と可動部２の第ｎ部材とは、可動部２の第ｎ−１部材に設けられたピニオン７と可動部２の第ｎ部材の下面に設けられたラック８により連結され、更に可動部２の第１部材に設けられたピニオン７は不動部１に設けられたラック９と連結され、また可動部２の第２部材に設けられたピニオン７は可動部２の第１部材の上面に設けられたラック９と連結され、・・・可動部２の第ｎ−１部材に設けられたピニオン７は可動部２の第ｎ−３部材の上面に設けられたラック９と連結され、不動部１のモータ６を左右に回転させることで、前記ラック8とピニオン７を介して順次回転運動を直線運動に変えながら、可動部２は左右両方向に定量摺動突出するよう構成されている。
【００２５】
本実施例の作動について説明する。 図１（ａ）に図示したように、例えば３個の部材を積層した可動部２を、不動部１から右側に突出させる方向に該不動部１に設けられたピニオン７をモータ６により回動させる。
【００２６】
可動部２の第１部材が前記ピニオン７とラック８により摺動突出することで、可動部２の第１部材に設けられたピニオン７は不動部１の上面に設けられたラック９と噛合って回動する。
【００２７】
可動部２の第２部材が可動部２の第１部材に設けられたピニオン７と可動部２の第２部材の下面に設けられたラック８により連結され摺動突出する。
【００２８】
可動部２の第２部材が前記ピニオン７とラック８により摺動突出することで、可動部２の第２部材に設けられたピニオン７は可動部２の第１部材の上面に設けられたラック９と噛合って回動する。
【００２９】
可動部２の第３部材が可動部２の第２部材に設けられたピニオン７と可動部２の第３部材の下面に設けられたラック８により連結され摺動突出する。
【００３０】
以上のようにして、可動部２は 図１（ａ）に図示したような突出状態となる。
【００３１】
この突出した可動部２を没入させる際には、不動部１に設けられたピニオン７をモータ６により前述とは逆方向に回動させることで没入方向に作用し、各部材は没入する。
【００３２】
更に、可動部２を、不動部１から左側に突出させる方向に該不動部１に設けられたピニオン７をモータ６により回動させることで、左方向の定量摺動突出が可能となる。
【００３３】
次にこの発明の第二実施形態の搬送装置について図２により説明する。ここで、上記実施形態と同様の部材は同一符号を付して説明を省略する。
【００３４】
この実施形態の搬送装置は、可動部材２の限界移動量を大きくするために、上記実施形態のピニオン７を不動部１と可動部２の各部材の両端に配置し、両端のピニオン７が同期して回転できるよう、タイミングベルト、チェーン等の伝動手段１１で連結するよう構成されている。
【００３５】
また、不動部１にはモータ６が設けられ、該モータ６がどちらか一方のピニオン７を回動するように構成されている。
【００３６】
本実施例の作動について説明する。 図２（ａ）に図示したように、例えば３個の部材を積層した可動部２を、不動部１から右側に突出させる方向に該不動部１に設けられた一方のピニオン７をモータ６により回動させる。
【００３７】
ここで、各部材の両端に配置したピニオン７は、タイミングベルト、チェーン等の伝動手段１１で連結してあるので、一方のピニオン７が回動するともう一方のピニオン７が同期して回動する。
【００３８】
可動部２の第１部材は、両端のピニオン７のうちどちらか一方がラック８と噛合う範囲で移動可能である。
【００３９】
可動部２の第１部材が前記ピニオン７とラック８により摺動突出することで、可動部２の第１部材に設けられたピニオン７は不動部１の上面に設けられたラック９と噛合って回動する。
【００４０】
可動部２の第３部材が可動部２の第２部材に設けられたピニオン７と可動部２の第３部材の下面に設けられたラック８により連結され摺動突出する。
【００４１】
以上のようにして、可動部２が右側に摺動突出する場合は、各部材の右側のピニオン７とラック８が噛合うことで、可動部２は  図２（ａ）に図示したような突出状態となり、前記第１実施形態の約２倍移動量を大きくすることができる。
【００４２】
次にこの発明の第三実施形態の搬送装置について図３により説明する。ここで、上記実施形態と同様の部材は同一符号を付して説明を省略する。
【００４３】
この実施形態の搬送装置は、摺動部の剛性を高めるために、不動部１と可動部２の第１部材，可動部２の第１部材と可動部２の第２部材，・・・及び可動部２の第ｎ−１部材と可動部２の第ｎ部材の間に、それぞれ中間移動部材１２を設け、更に、前記中間移動部材１２の左右移動方向の中央部にプーリ１３を設け、上下の部材の両端に固定したワイヤ等の線状体１４を介してプーリ１３を左右に引っ張り、中間移動部材１２が常に上下の部材の左右移動方向の中央に保たれるように構成したものである。
【００４４】
中間移動部材１２を、上下の部材の左右移動方向の中央に保つためには、２本の線状体１４が必要である。即ち、一方の線状体１４の一端を、不動部１の右端Ｒ１に固定し、中間移動部材１２の中央に設けたプーリ１３を介して、可動部２の第１部材の右端Ｒ２にゆるみ無く固定し、もう一方の線状体１４の一端を、不動部１の左端Ｌ１に固定し、中間移動部材１２の中央に設けたプーリ１３を介して、可動部２の第１部材の左端Ｌ２にゆるみ無く固定することで、中間移動部材１２を、上下の部材の左右移動方向の中央に保つことが可能となる。
【００４５】
可動部２の第１部材と可動部２の第２部材，及び可動部２の第２部材と可動部２の第３部材についても、上記と同様の構成とすることで、中間移動部材１２を、上下の部材の左右移動方向の中央に保つことが可能となる。
【００４６】
本実施例の作動について説明する。  図３（ａ）に図示したように、例えば３個の部材を積層した可動部２を、不動部１から右側に突出させる方向に該不動部１に設けられた一方のピニオン７をモータ６により回動させる。
【００４７】
ここで、不動部材１及び可動部材２の両端に配置したピニオン７は、タイミングベルト、チェーン等の伝動手段１１で連結してあるので、一方のピニオン７が回動するともう一方のピニオン７が同期して回動する。
【００４８】
可動部２の第１部材は、両端のピニオン７のうちどちらか一方がラック８と噛合う範囲で移動可能である。
【００４９】
可動部２の第１部材が前記ピニオン７とラック８により摺動突出することで、可動部２の第１部材に設けられたピニオン７は不動部１の上面に設けられたラック９と噛合って回動する。
【００５０】
可動部２の第２部材が可動部２の第１部材に設けられたピニオン７と可動部２の第２部材の下面に設けられたラック８により連結され摺動突出し、更に可動部２の第３部材が可動部２の第２部材に設けられたピニオン７と可動部２の第３部材の下面に設けられたラック８により連結され摺動突出する。
【００５１】
この時、不動部１と可動部２の第１部材、可動部２の第１部材と可動部２の第２部材，及び可動部２の第２部材と可動部２の第３部材の間に設けた中間移動部材１２は、２本の線状体１４によって動きが拘束され、常に上下の部材の左右移動方向の中央に保たれて凹条５とレール３から成る摺動部を摺動する。
【００５２】
以上のようにして、可動部２が右側に摺動突出する場合は、各部材の右側のピニオン７とラック８が噛合うことで、可動部２は 図３（ａ）に図示したような突出状態となり、凹条５とレール３から成る摺動部の案内長さＬが第２の実施形態に比べて長くなり、摺動部の剛性を高めることができるようになる。
【００５３】
次にこの発明の第四実施形態の搬送装置について図４により説明する。ここで、上記実施形態と同様の部材は同一符号を付して説明を省略する。
【００５４】
この実施形態の搬送装置は、ピニオン７を不動部１の両端に配置し、両端のピニオン７が同期して回転できるよう、タイミングベルト、チェーン等の伝動手段１１で連結し、不動部１と可動部２の第１部材とは、不動部１に設けられた前記ピニオン７と可動部２の第１部材の下面に設けられたラック８により連結され、また、可動部２の第１部材と可動部２の第２部材と、・・・可動部２の第ｎ−１部材の両端にプーリ１３を設け、不動部１の左端に固定したワイヤ等の線状体１４を、可動部２の第１部材右端のプーリ１３を介して、可動部２の第２部材の左端にゆるみのないよう固定し、可動部２の第１部材左端に固定したワイヤ等の線状体１４を、可動部２の第２部材右端のプーリ１３を介して、可動部２の第３部材の左端にゆるみのないよう固定し、可動部２の第ｎ−２部材左端に固定したワイヤ等の線状体１４を、可動部２の第ｎ−１部材右端のプーリ１３を介して、可動部２の第ｎ部材の左端にゆるみのないよう固定し、同様に不動部１の右端に固定したワイヤ等の線状体１４を、可動部２の第１部材左端のプーリ１３を介して、可動部２の第２部材の右端にゆるみのないよう固定し、可動部２の第１部材右端に固定したワイヤ等の線状体１４を、可動部２の第２部材左端のプーリ１３を介して、可動部２の第３部材の右端にゆるみのないよう固定し、可動部２の第ｎ−２部材右端に固定したワイヤ等の線状体１４を、可動部２の第ｎ−１部材左端のプーリ１３を介して、可動部２の第ｎ部材の右端にゆるみのないよう固定し、不動部１のモータ６を左右に回転させることで、前記ピニオン７とラック８及びプーリ１３とワイヤ等の線状体１４を介して順次力を伝達して、可動部２は左右両方向に定量摺動突出するよう構成されている
【００５５】
線状体１４は、ワイヤに限らず、ベルトや、チェーンでもよく、また材質も目的に応じて、スチール、ゴム、合成樹脂等何を採用してもよい。
【００５６】
本実施例の作動について説明する。図４（ａ）に図示したように、例えば３個の部材を積層した可動部２を、不動部１から右側に突出させる方向に該不動部１に設けられたピニオン７をモータ６により回動させる。
【００５７】
可動部２の第１部材と可動部２の第２部材の両端にプーリ１３を設け、不動部１の左端Ｌ１に固定したワイヤ等の線状体１４を、可動部２の第１部材右端のプーリ１３を介して、可動部２の第２部材の左端Ｌ３にゆるみのないよう固定し、可動部２の第１部材左端Ｌ２に固定したワイヤ等の線状体１４を、可動部２の第２部材右端のプーリ１３を介して、可動部２の第３部材の左端Ｌ４にゆるみのないよう固定し、同様に不動部１の右端Ｒ１に固定したワイヤ等の線状体１４を、可動部２の第１部材左端のプーリ１３を介して、可動部２の第２部材の右端Ｒ３にゆるみのないよう固定し、可動部２の第１部材右端Ｒ２に固定したワイヤ等の線状体１４を、可動部２の第２部材左端のプーリ１３を介して、可動部２の第３部材の右端Ｒ４にゆるみのないよう固定し、可動部２の第１部材が前記モータ６により右側に摺動突出することで、該第１部材の右端部に設けられたプーリ１３と不動部１と第２部材とを連結する線状体１４により、第２部材は右方向に引動され、摺動突出する。
【００５８】
同様にして、該第１部材の摺動突出量と同量だけ摺動突出した該第２部材の右端部に設けられたプーリ１３により、該第２部材の摺動突出量と同量だけ第３部材が摺動突出する。
【００５９】
以上のようにして、可動部２は図４（ａ）に図示したような突出状態となる。
【００６０】
この突出した可動部２を没入させる際には、不動部１に設けられたピニオン７をモータ６により前述とは逆方向に回動させることで没入方向に作用し、各部材は没入する。
【００６１】
更に、可動部２を、不動部１から左側に突出させる方向に該不動部１に設けられたピニオン７をモータ６により回動させることで、左方向の定量摺動突出が可能となる。
【００６２】
次にこの発明の第五実施形態の搬送装置について図５により説明する。ここで、上記実施形態と同様の部材は同一符号を付して説明を省略する。
【００６３】
この実施形態の搬送装置は、不動部１と可動部２の第１部材とは、不動部１のモータ６に設けられたピニオン7と、可動部２の第１部材の下面に設けられたラック８により連結され、また、可動部２の第１部材と、可動部２の第２部材と、・・・可動部２の第ｎ−１部材の両端部にプーリ１３を設け、不動部１の右端に固定したワイヤ等の線状体１４を可動部２の第１部材左端のプーリ１３、可動部２の第２部材右端のプーリ１３、可動部２の第２部材左端のプーリ１３、・・・可動部２の第ｎ−１部材右端のプーリ１３、可動部２の第ｎ−１部材左端のプーリ１３の順にかけて、最後に可動部２の第ｎ部材の右端にゆるみのないよう固定し、不動部１の左端に固定したワイヤ等の線状体１４を可動部２の第１部材右端のプーリ１３、可動部２の第２部材左端のプーリ１３、可動部２の第２部材右端のプーリ１３、・・・可動部２の第ｎ−１部材左端のプーリ１３、可動部２の第ｎ−１部材右端のプーリ１３の順にかけて、最後に可動部２の第ｎ部材の左端にゆるみのないよう固定し、不動部１のモータ６を左右に回転させることで、前記ピニオン７とラック８及びプーリ１３とワイヤ等の線状体１４を介して順次力を伝達して、可動部２は左右両方向に定量摺動突出するよう構成されている。
【００６４】
線状体１４は、ワイヤに限らず、ベルトや、チェーンでもよく、また材質も目的に応じて、スチール、ゴム、合成樹脂等何を採用してもよい。
【００６５】
本実施例の作動について説明する。  図５（ａ）に図示したように、例えば６個の部材を積層した可動部２を、不動部１から右側に突出させる方向に該不動部１に設けられたピニオン７をモータ６により回動させる。
【００６６】
可動部２の第１部材と、可動部２の第２部材と、・・・可動部２の第ｎ−１部材の両端部にプーリ１３を設け、不動部１の右端Ｒ１に固定したワイヤ等の線状体１４を可動部２の第１部材左端のプーリ１３、可動部２の第２部材右端のプーリ１３、可動部２の第２部材左端のプーリ１３、・・・可動部２の第ｎ−１部材右端のプーリ１３、可動部２の第ｎ−１部材左端のプーリ１３の順にかけて、最後に可動部２の第ｎ部材の右端Ｒ２にゆるみのないよう固定し、不動部１の左端Ｌ１に固定したワイヤ等の線状体１４を可動部２の第１部材右端のプーリ１３、可動部２の第２部材左端のプーリ１３、可動部２の第２部材右端のプーリ１３、・・・可動部２の第ｎ−１部材左端のプーリ１３、可動部２の第ｎ−１部材右端のプーリ１３の順にかけて、最後に可動部２の第ｎ部材の左端Ｌ２にゆるみのないよう固定し、不動部１のモータ６を可動部２が右移動する方向に回転させることで、前記ピニオン７とラック８を介して可動部２の第１部材が右方向に移動し、次に可動部２の第１部材右端のプーリ１３によって可動部２の第２部材が線状体１４を介して右方向に引動され、更に可動部２の第２部材、・・・第ｎ−１部材の右端のプーリ１３とワイヤ等の線状体１４を介して順次力を伝達して、可動部２は右方向に引動され、摺動突出する。
【００６７】
以上のようにして、可動部２は 図５（ａ）に図示したような突出状態となる。
【００６８】
この突出した可動部２を没入させる際には、不動部１に設けられたピニオン７をモータ６により前述とは逆方向に回動させることで没入方向に作用し、各部材は没入する。
【００６９】
更に、可動部２を、不動部１から左側に突出させる方向に該不動部１に設けられたピニオン７をモータ６により回動させることで、左方向の定量摺動突出が可能となる。
【００７０】
本第一〜第五実施例は上述のように構成したから、不動部１と平行に所定量摺動突出する可動部２は、積層された第ｎ部材が第ｎ−１部材に対して所定量摺動突出する構成であるから、積層数を増やすことで可動部２の突出長を非常に長く設定することができ、この場合、積層状態の長さは不動部１の長さであるから、設置スペースは長くなくて済み、従って、電動シリンダー等の従来の搬送装置より設置スペースに対する搬送距離を長くでき、簡易で且つコンパクトな構造となる。しかも、摺動突出する可動部２に設けられた搬送部１５により搬送を行うため、振動を生ずることなく物の搬送ができ、例えば液晶やガラス基板等の精密部品であっても破損させることなく搬送できることになる。
【００７１】
更に、左右方向に対称的な構成としたことにより、左右両方向に移動可能となり、片方向突出に比べて搬送距離が更に長くなり、かつ部品の向きを変えずに搬送することが可能となる。
【００７２】
従って、本実施例は、例えば精密部品を長距離搬送する場合でも、従来の搬送装置より、コンパクトで簡易な構造にしてコスト安にこの精密部品を破損させることなく搬送できる極めて実用性に秀れた搬送装置となる。
【００７３】
尚、第１〜第５の実施例では、駆動手段をモータ６、ピニオン７、ラック８としたが、可動部２の第１部材を直線的に駆動するものであればどんな方法でもよい。
【００７４】
また、第１〜第３の実施例では、可動部２の第１部材から第２部材、・・・第ｎ部材への力の伝達をラックとピニオンで行う例を示したが、同等の作用を行う他の方法、例えば、チェーンとスプロケット、或いはタイミングベルトと、タイミングプーリなどを用いてもよい。
【図面の簡単な説明】
【００７５】
【図１】本発明の第一実施形態の搬送装置を説明する正面図（ａ）、側面図（ｂ）である。
【図２】本発明の第二実施形態の搬送装置を説明する正面図（ａ）、側面図（ｂ）である。
【図３】本発明の第三実施形態の搬送装置を説明する正面図（ａ）、側面図（ｂ）である。
【図４】本発明の第四実施形態の搬送装置を説明する正面図（ａ）、側面図（ｂ）である。
【図５】本発明の第五実施形態の搬送装置を説明する正面図（ａ）、側面図（ｂ）である。
【符号の説明】
【００７６】
１   不動部
２   可動部
６   モータ
７   ピニオン
８、９   ラック
１０ タイミングプーリ
１１ タイミングベルト
１３ プーリ
１４ 線状体
１５ 搬送部
【図１】
2008254864.tif 000003
【図２】
2008254864.tif 000004
【図３】
2008254864.tif 000005
【図４】
2008254864.tif 000006
【図５】
2008254864.tif 000007